(57)【特許請求の範囲】
【請求項１】
メニューキーを用いてオーダーメニューを入力するハンディターミナルにおいて、本体を見開き可能な一方扉体と他方扉体から形成し、他方扉体の内面に前記メニューキーの一部を形成しかつ押圧操作で前記オーダーメニューを入力可能な固定メニューキーを配設し、固定メニューキー内から任意の固定メニューキーを選択する選択手段を一方扉体および／または他方扉体に配設し、一方扉体の内面に前記メニューキーの一部を形成する表示メニューキーを表示可能かつタッチ操作可能なタッチパネル付き表示器を設けるとともに、選択手段を用いて選択された固定メニューキーに対応する表示メニューキーをタッチパネル付き表示器に表示する対応表示制御手段と，対応表示された表示メニューキーがタッチ操作された場合に当該固定メニューキーに割付られたメニューと同一のメニューが入力されたものとして取扱う入力取扱制御手段とを設け、同一メニューについてのメニューキーを他方扉体側から一方扉体側へレイアウト変更可能に形成されているハンディターミナル。
【発明の詳細な説明】
【０００１】
【発明の属する技術分野】
本発明は、メニューキーを用いてオーダーメニューを入力するハンディターミナルに関する。
【０００２】
【従来の技術】
従来のオーダーデータ処理装置は、図９に示すように、オーダーメニューを入力する複数のハンディターミナル１０Ｐと，入力されたオーダーデータを管理するオーダー管理手段７０（無線親局７１）と，オーダーデータについて会計処理を行う会計手段９０とから構成され、さらに伝票発行用プリンタ８０と厨房４００に配設されたキッチンプリンタ８５とを設けている。会計手段９０は、店舗出入口（会計所）３００に配設されている。
【０００３】
かくして、係員ＷＲＫは、客室１００内の各テーブル（座席）１０１を廻って、携帯するハンディターミナル１０Ｐを用いて各客ＣＳＴのオーダーメニューを含むオーダーデータを順番に入力する。オーダーデータには、テーブル番号，人数等が含まれる。
【０００４】
オーダーデータは、オーダー管理手段７０で管理されるとともに、この手段７０から両プリンタ８０，８５に転送される。厨房４００では、キッチンプリンタ８５から発行されたオーダー伝票に基き調理を開始する。伝票発行用プリンタ８０から発行されたカスタマー伝票は、当該係員ＷＲＫによって当該客ＣＳＴが着席するテーブル１０１に置かれる。
【０００５】
係員ＷＲＫは、ときどき厨房４００を覗き、自己担当の調理済メニューがあるとこれを当該客ＣＳＴへ配膳し、カスタマー伝票に手書きチェックを入れる。
【０００６】
飲食後の客ＣＳＴからカスタマー伝票を受取ったキャッシャーは、会計手段９０を用いて伝票番号等を入力すると、当該オーダーデータがオーダー管理手段７０からデータ通信回線７９を介して転送されてくる。そして、そのオーダーデータについて会計処理する。かくして、多数客の多数オーダーメニューについて正確に管理処理できるとともに店舗実稼動率を高められる。
【０００７】
ここに、従来のハンディターミナル１０Ｐは、図１０に示す如く、本体１５ＢＰの表面の大部分に複数の固定メニューキー６１ＫＰを有する固定メニューキー部６０Ｐを配置し、その上部に表示部４９Ｐを設けた構造とされている。
【０００８】
また、図１１に示すように、本体をヒンジ１９Ｐで連結された２枚扉体構造（１１Ｐ，１５Ｐ）として、それぞれに固定メニューキー部６０Ｐ２，６０Ｐ１とタッチパネル付き表示器４９Ｐ２，４９Ｐ１とを設け、固定メニューキー６１ＫＰの個数を図１０の場合に比較して２倍に増大可能にしたものがある。
【０００９】
【発明が解決しようとする課題】
ところで、オーダーメニュー入力を迅速かつ正確に行うことが業務能率の向上に直結する。しかるに、従来のハンディターミナル（図１０，図１１）は、各固定メニューキー６１ＫＰが固定配設されかつ各固定メニューキー６１ＫＰに当該各メニューが割付けられている。しかも、各ハンディターミナルのキーレイアウトは画一的である。
【００１０】
したがって、各係員の個別的事情（例えば、利き腕，繰り返し運動性，反射神経，経験度合い等）が異なりかつまちまちであるから、運用の実際上、業務能率に大差が生じる。各固定キー６１ＫＰの配設個数が多いほど顕著である。係員（取扱者）によっては、例えば、頻繁に使用する固定メニュー（“定食”）キー６１ＫＰが中央に配設されている場合よりも、左上に配設されている方が飛躍的に迅速入力できる等である。
【００１１】
かかる場合、従来は各固定キー６１ＫＰの割付けメニューをソフトウエア的に改変して、各固定キー６１ＫＰのレイアウトを見掛上変更している。しかし、このソウトウエア的改変は、技術的・専門的な知識を必要としかつ長時間を必要とする。つまり、上記場合で言えば、昼食時間帯の直前に固定メニュー（“定食”）キー６１ＫＰのレイアウト変更をすることは、実際上、不可能である。
【００１２】
かくして、従来は平均的な係員をベースに各固定メニューキー６１ＫＰのレイアウトが決定されているので、総合的（全店舗，全係員）な業務能率の低下が余儀なくされていた。
【００１３】
本発明の目的は、メニューキーのレイアウト変更を簡単に行え、オーダーメニューを迅速かつ正確に入力することのできるハンディターミナルを提供することにある。
【００１４】
【課題を解決するための手段】
請求項１の発明はメニューキーを用いてオーダーメニューを入力するハンディターミナルにおいて、本体を見開き可能な一方扉体と他方扉体から形成し、他方扉体の内面に前記メニューキーの一部を形成しかつ押圧操作で前記オーダーメニューを入力可能な固定メニューキーを配設し、固定メニューキー内から任意の固定メニューキーを選択する選択手段を一方扉体および／または他方扉体に配設し、一方扉体の内面に前記メニューキーの一部を形成する表示メニューキーを表示可能かつタッチ操作可能なタッチパネル付き表示器を設けるとともに、選択手段を用いて選択された固定メニューキーに対応する表示メニューキーをタッチパネル付き表示器に表示する対応表示制御手段と，対応表示された表示メニューキーがタッチ操作された場合に当該固定メニューキーに割付られたメニューと同一のメニューが入力されたものとして取扱う入力取扱制御手段とを設け、同一メニューについてのメニューキーを他方扉体側から一方扉体側へレイアウト変更可能に形成されているハンディターミナルである。
【００１５】
かかる発明では、見開き可能でかつ見開き状態において例えば左側の一方扉体と右側の他方扉体から本体を形成しておく。また、一方扉体を手持ち側としかつ選択手段およびタッチパネル付き表示器を設けておく。そして、他方扉体の内面に固定的に配設されたメニューキーの一部を形成しかつ押圧操作で当該メニューを入力可能な固定メニューキーを一方扉体側のタッチパネル付き表示器にコピーしたい場合を考える。
【００１６】
まず、一方扉体側の選択手段を用いて当該固定メニューキーを選択する。すると、対応表示制御手段が、選択手段を用いて選択された固定メニューキーに対応する表示メニューキーをタッチパネル付き表示器に表示する。簡単に表示メニューキーとしてコピーすることができるわけである。かくして、対応表示された表示メニューキーをタッチ操作すれば、入力取扱制御手段が、当該固定メニューキーに割付られたメニューと同一のメニューが入力されたものとして取扱う。
【００１７】
しがって、自由側の他方扉体側の固定メニューキーに代えて手持ち側の一方扉体にレイアウト変更された表示メニューキーをタッチ操作することにより、当該メニューを安定してより迅速かつ正確に入力することができる。
【００１８】
【発明の実施の形態】
以下、本発明の実施形態について図面を参照して説明する。
【００１９】
（第１の実施形態）
本ハンディターミナル１０は、図１〜図３に示す如く、本体（１１，１５）を見開き可能な一方扉体１１と他方扉体１５から形成し、他方扉体１５の内面１５Ｉにメニューキーの一部を形成しかつ押圧操作でオーダーメニューを入力可能な固定メニューキー６１Ｋを配設し、固定メニューキー６１Ｋ内から任意の固定メニューキーを選択する選択手段（選択“Ｓ”キー５１Ｋ）を一方扉体１１に配設し、一方扉体１１の内面１１Ｉにメニューキーの一部を形成する表示メニューキー４１Ｋを表示可能かつタッチ操作可能なタッチパネル付き表示器４０（表示部４１Ｇ）を設けるとともに、対応表示制御手段（２１，２２）と入力取扱制御手段（２１，２２）とを設け、選択手段を用いて選択された固定メニューキー６１Ｋに対応する表示メニューキー４１Ｋをタッチパネル付き表示器４０（４１Ｇ）に表示可能かつ対応表示された表示メニューキー４１Ｋがタッチ操作された場合に当該固定メニューキー６１Ｋに割付られたメニューと同一のメニューが入力されたものとして取扱い可能に形成し、同一メニューについてのメニューキーを他方扉体１５側から一方扉体１１側へ簡単にレイアウト変更可能に形成されている。
【００２０】
本ハンディターミナル１０は、従来例（図９）の場合と同様なオーダーデータ処理装置のハンディターミナルとして利用される。
【００２１】
図３において、一方扉体１１内には、制御部（ＣＰＵ２１，ＲＯＭ２２，ＲＡＭ２３）２０と，センサ（ＳＮＲ）部３０と，無線通信部（ＷＬＴ）３５と，タッチパネル付き表示器４０用の駆動制御回路（Ｉ／Ｆ）４０Ｄと，固定キー部５０用の駆動制御回路（Ｉ／Ｆ）５０Ｄと，固定メニューキー部６０用の駆動制御回路（Ｉ／Ｆ）６０Ｄとが、格納されている。
【００２２】
ＲＡＭ２３は、データ処理作業領域を形成する他、メニューテーブル２３ＭＴ，オーダ−テーブル２３ＯＴおよびキーテーブル２３ＫＴを形成する。このキーテーブル２３ＫＴには、図４に示すように、固定メニューキー６１Ｋに対応させた対応情報（例えば、表示メニューキーの位置，大きさ，表示色等）が記憶されている。
【００２３】
また、この実施形態では、具体的なメニュー入力頻度の多い表示メニューキー４１Ｋを表示させること、他方扉体１５より重くなることおよびこの実施形態では、右利き用に設計してあることから、この一方扉体１１を手持ち側としてある。
【００２４】
かくして、メニュー入力を安定して行えるとともに、信号線の多いタッチパネル付き表示器４０とその駆動制御回路（Ｉ／Ｆ）４０Ｄとを近接位置できるので性能を高められる。しかも、外部ノイズの影響や電力ロスを軽減できる。
【００２５】
本体（１１，１５）の見開き状態を示す図１において、右側他方扉体１５の内面１５Ｉの大部分には、複数の固定メニューキー６１Ｋを有する固定メニューキー部６０が設けられ、その上方部に覗き窓１７が設けられている。覗き窓１７は、透明プラスチック製である。
【００２６】
固定メニューキー６１Ｋの数は、固定メニューキー６１ＫＰを採用する従来例（図１０，図１１）の場合と同様な数である。大きさ（平面的面積）も同様な大きさである。したがって、固定メニューキー６１Ｋを用いたメニュー入力作業については、従来例の場合と同様と言える。
【００２７】
この他方扉体１５とヒンジ１９を介して見開き可能に連結された一方扉体１１の内面１１Ｉの大部分には、タッチパネル付き表示器４０（表示面４１Ｇ）が取り付けられている。
【００２８】
すなわち、表示部４１Ｇには、多数の表示メニューキー４１Ｋを切替え表示することができる。各表示メニューキー４１Ｋの平面的面積（大きさ）は、固定メニューキー６１Ｋの平面的面積よりも大きくされている。
【００２９】
例えば、図６に示す固定メニュー（“Ｘ”＝“Ａ定”…Ａ定食）キー６１Ｋよりも、これに対応する表示メニュー（“Ａ定”）キー４１Ｋの方が平面的面積が大きい。迅速かつ正確なメニュー（“Ａ定”）入力を行える。
【００３０】
なお、一般的に、各キーの大きさ（平面的面積）が一定でかつ隣接間隔が小さい場合、固定メニューキー６１Ｋの押圧操作の場合よりも、表示メニューキー４１Ｋのタッチ操作の場合の方が、隣接する他の表示メニューキー４１Ｋに触れ易い。しかし、この実施形態では、表示メニューキー４１Ｋの表示個数や隣接間隔、さらには平面的面積の大きさが、自在に切替え可能に形成されているので、かかる従来的懸念を一掃することができる。
【００３１】
また、この実施形態では、タッチパネル付き表示器４０の下方定位置に設けられた固定キー部５０の固定キー５１Ｋを押圧操作して入力された数量（例えば、“２”）も表示される。ただし、数量（“１”）は自動入力とし、数量“２”以上の場合に固定キー５１Ｋを用いて入力するように形成してある。
【００３２】
この固定キー部５０は、オーダーメニュー以外のデータを入力するためのものでかつ入力使用頻度の高い固定キー５１Ｋからなる。この実施形態では、図１，図６に示す“０”〜“９”を入力する置数キー，“Ｔ”と記した転送キー，“Ｓ”を記した選択キー，“Ｅ”と記したエンターキー，“Ｃ”と記したクリアーキー等である。
【００３３】
かくすれば、固定キー５１Ｋを、固定メニューキー６１Ｋと隣接させて他方扉体１５側に設ける場合に比較して、固定キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００３４】
また、図１，図６に示す上方の定位置表示部４２は、閉じた状態を示す図２に示す如く、覗き窓１７に対応する定位置とされている。この定位置表示部４２には、表示メニューキー４１Ｋでない情報が表示される。つまり、図１に示す見開き状態（使用状態）で表示メニューキー４１Ｋを表示可能な部位（４２）に、他の情報を表示することができる。
【００３５】
したがって、タッチパネル付き表示器４０に情報表示用の専門部位を格別に設けなくてもよいから、本体（１１，１５）の小型化を図りつつ見開き状態時の表示メニューキー４１Ｋの数をより増大することができる。
【００３６】
この実施形態では、呼出しメッセージ，通信エラーメッセージおよびバッテリー情報の３つの情報を表示可能に形成してある。例えば、“空きテーブルに客を案内せよ”，”調理完了メニューを配膳せよ”等の呼出しメッセージ、“当該場所は電波が弱い”や“通信不調”等を含む通信エラーメッセージ、“電池交換すべき”等のバッテリー情報が表示される。したがって、結果としてミス入力を防止できかつその後のメニュー入力をより確実に行えるとともに、業務能率を向上できる。
【００３７】
ここにおいて、選択手段は、固定メニューキー６１Ｋ内から任意の固定メニューキー６１Ｋを選択する手段で、この実施形態では、一方扉体１１側に設けた固定キー部５０内の固定キー（“Ｓ”キー）５１Ｋから形成されている。
【００３８】
すなわち、所定操作によって移行するレイアウト変更モードにおいて、レイアウト変更（この実施形態では、“コピー”）しようとする固定メニューキー６１Ｋを押圧操作（図５のＳＴ１０のＹＥＳ）しておき、“Ｓ”キー５１Ｋを押圧操作（ＳＴ１１のＹＥＳ）することにより、当該固定メニューキー６１Ｋを選択するものと形成してある。
【００３９】
なお、選択キー（“Ｓ”キー５１Ｋ）は、他方扉体１５側や他方扉体１５側にも設けてもよい。例えば、キー６１Ｋを利用する。つまり、レイアウト変更モードにおいて、当該固定メニューキー６１Ｋを押圧操作するだけで、選択できるように形成することもできる。つまり、選択手段の構造・形式は限定されず、かつ一方扉体１１および／または他方扉体１５に設けて実施することができる。
【００４０】
抽出手段（ＣＰＵ２１，ＲＯＭ２２）は、キーテーブル２３ＫＴを参照して選択された固定メニューキー６１Ｋに対応する表示メニューキー４１Ｋを抽出（ＳＴ１２）する。
【００４１】
対応表示制御手段は、対応表示制御プログラムを格納させたＲＯＭ２２とＣＰＵ２１とから形成され、選択された固定メニューキー６１Ｋに対応する表示メニューキー４１Ｋをタッチパネル付き表示器４０（４１Ｇ）に表示する（ＳＴ１３）。
【００４２】
この実施形態では、図４に示すキーテーブル２３ＫＴに予め設定された固定メニューキー６１Ｋに割付られたメニューに対応する表示メニューキー４１Ｋのタッチパネル付き表示器４０（４１Ｇ）内の表示位置および平面的面積（大きさ）等の上記対応情報を参照（ＳＴ１２）して行う。なお、対応情報は、設定変更可能である。
【００４３】
また、入力取扱制御手段は、入力取扱制御プログラムを格納させたＲＯＭ２２とＣＰＵ２１とから形成され、表示メニューキー４１Ｋがタッチ操作された場合（ＳＴ１４のＹＥＳ）に当該固定メニューキー６１Ｋに割付られたメニューと同一のメニューが入力されたものとして取扱う（ＳＴ１５）。メニューは、メニューテーブル２３ＭＴを参照して求められる。
【００４４】
この実施形態では、当該固定メニューキー６１Ｋが押圧操作されたとして当該メニューを入力する。つまり、図５のＳＴ１０のＹＥＳ，ＳＴ１１のＮＯ，ＳＴ１７のＮＯを経る通常的な固定メニューキー６１Ｋを使用してメニュー入力する場合と同様にメニュー入力する（ＳＴ１５）。入力されたメニューは、座席等とともにオーダーデータとして、オーダーテーブル２３ＯＴに記憶（登録）される。
【００４５】
なお、表示メニューキー４１Ｋは、当該固定メニューキー６１Ｋを押圧操作（ＳＴ１０のＹＥＳ）しかつ固定キー部５０内の“Ｃ”キー５１Ｋを押圧操作（ＳＴ１７のＹＥＳ）することにより、クリア（表示消滅）するものと形成してある（ＳＴ１８）。他の方法で表示消去するようにしてもよい。例えば、当該表示メニューキー４１Ｋと“Ｃ”キーとを用いクリアするようにしてもよい。
【００４６】
かかる構成の実施形態では、係員は手持ち側の一方扉体１１を左手で持ち、図１に示すように本体（１１，１５）を見開き状態とする。つまり、ヒンジ１９を中心に、両扉体１１，１５を左右に開く。センサ（ＳＮＲ）部３０がこれを検出する。
【００４７】
例えば昼食時間帯において、図６の他方扉体１５側の固定メニューキー（“Ｘ”…“Ａ定”）６１Ｋを、自己（取扱者）が操作し易い個所に移動（レイアウト変更）使用とする場合を考える。
【００４８】
まず、取扱者は、当該固定メニューキー６１Ｋを押圧操作（図５のＳＴ１０でＹＥＳ）し、かつ選択キー（“Ｓ”キー）５１Ｋを押圧操作（ＳＴ１１のＹＥＳ）する。
【００４９】
すると、抽出手段（２１，２２）が、図４に示すキーテーブル２３ＫＴを参照して、選択された固定メニューキー６１Ｋに対応する表示メニューキー４１Ｋを抽出する（ＳＴ１２）。
【００５０】
かくして、対応表示制御手段（２１，２２）が、図３の駆動制御回路（Ｉ／Ｆ）４０Ｄに信号を与え、一方扉体１１（内面１１Ｉ）のタッチパネル付き表示器４０に、図５に示すように当該表示メニューキー４１Ｋを表示する（ＳＴ１３）。
【００５１】
つまり、比較的に小さい押圧操作型の“Ｘ”キー６１Ｋを、自己の取扱容易なタッチパネル付き表示器４０の中央下方に、しかも大きな表示メニューキー（“Ａ定”…“Ｘ”）４１Ｋとして表示できる。
【００５２】
かくして、表示メニュー（“Ａ定”）キー４１Ｋをタッチ操作（ＳＴ１４のＹＥＳ）して、正確かつ迅速なメニュー（“Ａ定”）を入力（ＳＴ１６）することができる。
【００５３】
しかして、この第１の実施形態によれば、メニューキーを固定メニューキー６１Ｋと表示メニューキー４１Ｋとから形成し、選択した固定メニューキー６１Ｋに対応する表示メニューキー４１Ｋをタッチパネル付き表示器４０に表示可能かつ表示メニューキー４１Ｋのタッチ操作で当該固定メニューキーに割付られたメニューと同一のメニューを入力可能に形成されているので、固定メニューキー６１Ｋの配設絶対数を過剰に設けておかなくてもかつ固定メニューキーのメニュー割付をソフトウエア的に改変することなく、任意の固定メニューキー６１Ｋに対応する表示メニューキー４１Ｋとして簡単にレイアウト変更することができる。したがって、各取扱者は当該ハンディターミナル１０を用いて迅速かつ正確にオーダーメニューを入力することができる。全店舗的業務能率を大幅に向上できる。
【００５４】
また、固定メニューキー６１Ｋを選択する選択手段（５１Ｋ）と，選択固定メニューキーに対応する表示メニューキー４１Ｋをタッチパネル付き表示器４０に表示する対応表示制御手段（２１，２２）と，表示メニューキー４１Ｋがタッチ操作された場合に当該固定メニューキー６１Ｋに割付られたメニューと同一のメニューが入力されたものとして取扱う入力取扱制御手段（２１，２２）とを設け、同一メニューについてのメニューキーをレイアウト変更可能に形成されているので、レイアウト変更しようとする固定メニューキー６１Ｋの選択操作をするだけでよいから、取扱が簡単でかつ一段と迅速な入力を行える。
【００５５】
また、見開き可能な他方扉体１５の内面に固定メニューキー６１Ｋを配設し、選択手段（５１Ｋ）を一方扉体１１（および／または他方扉体）に配設し、一方扉体１１の内面に表示メニューキー４１Ｋを表示可能かつタッチ操作可能なタッチパネル付き表示器４０を設けるとともに、対応表示制御手段（２１，２２）と入力取扱制御手段（２１，２２）とを設け、選択手段（５１Ｋ）を用いて選択された他方扉体１５側の固定メニューキー６１Ｋを一方扉体１１側にレイアウト変更しかつ当該対応表示メニューキー４１Ｋをタッチパネル付き表示器４０に表示しかつ表示メニューキー４１Ｋのタッチ操作で当該固定メニューキー６１Ｋに割付られたメニューと同一のメニューを入力可能に形成されているので、当該メニューを安定してより迅速かつ正確に入力することができる。
【００５６】
また、同一メニューに関する表示メニューキー４１Ｋの平面的面積（大きさ）が当該固定メニューキー６１Ｋの平面的面積よりも大きいものとされているので、一段と取扱が容易である。
【００５７】
さらに、一方扉体１１側の表示メニューキー４１Ｋの平面面積が他方扉体１５側の固定メニューキー６１Ｋの平面面積よりも大きいので、最終的なメニュー入力頻度が多い表示メニューキー４１Ｋのミス操作を確実に防止できかつタッチ操作が一段と容易になる。この点からも、迅速なメニュー入力ができる。
【００５８】
さらに、一方扉体１１が手持ち側とされているので、より一段と取扱い容易であるとともに、制御部２０やタッチパネル付き表示器４０の駆動制御回路４０Ｄ等を信号線の多いタッチパネル付き表示器４０に近接して配置できるから、性能を向上できかつコスト低減も図れる。
【００５９】
さらに、一方扉体１１の内面１１Ｉの定位置（５０）に、オーダーメニュー以外のデータを入力するためのものでかつ入力使用頻度の高い固定キー（置数キー，伝送キーＴ，エンターキーＥ，選択キー，クリアキーＣ）５１Ｋが設けられているので、この固定キー５１Ｋを他方扉体１５側の固定メニューキー６１Ｋと隣接させて当該他方扉体１５側に設ける場合に比較して、固定キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００６０】
さらにまた、他方扉体１５に、本体（１１，１５）を閉じた状態において、当該他方扉体１５の外面１５Ｏ側から一方扉体１１のタッチパネル付き表示器４０の定位置（４２）に表示された情報を目読可能な覗き窓１７が設けられているので、不使用状態における構成要素の保護を担保しつつタッチパネル付き表示器４０の表示面４１Ｇを有効利用できるとともに、品切れメニューや空きテーブル等に関する情報伝達機能を付加できる。
【００６１】
（第２の実施形態）
この第２の実施形態は、図７に示される。
【００６２】
すなわち、複数の固定メニューキー６１Ｋ（例えば、“Ｘ”，“Ｙ”，“Ｚ”）に対応する表示メニューキー４１Ｋ（“Ａ定”，“Ｂ定”，“Ｃ定”）を同時にタッチパネル付き表示器４０に表示可能に形成してある。他は、第１の実施形態の場合と同じである。
【００６３】
したがって、第１の実施形態に比較して、限定された範囲内において、入力作業をより迅速に行える。
【００６４】
（第３の実施形態）
この第３の実施形態は、図８に示される。
【００６５】
すなわち、タッチパネル付き表示器４０内に、スクロール表示部４３を切替表示可能かつ複数の表示メニューキー４１Ｋをスクロール表示可能に形成してある。
【００６６】
したがって、頻繁に使用するメニューについて、予め表示メニューキー４１Ｋとしてレイアウト変更しておけるから、利用性が高まる。
【００６７】
【発明の効果】
請求項１の発明によれば、見開き可能な他方扉体に押圧操作でオーダーメニューを入力可能な固定メニューキーを配設し、任意の固定メニューキーを選択する選択手段を一方扉体および／または他方扉体に配設し、一方扉体に表示メニューキーを表示可能かつタッチ操作可能なタッチパネル付き表示器を設けるとともに、選択固定メニューキーに対応する表示メニューキーをタッチパネル付き表示器に表示する対応表示制御手段と，表示メニューキーがタッチ操作された場合に当該固定メニューキーに割付られたメニューと同一のメニューが入力されたものとして取扱う入力取扱制御手段とを設け、同一メニューについてのメニューキーを他方扉体側から一方扉体側へレイアウト変更可能かつメニュー入力可能にに形成されたハンディターミナルであるから、例えば自由側の他方扉体側の固定メニューキーに代えて手持ち側の一方扉体にレイアウト変更された表示メニューキーをタッチ操作することにより、当該メニューを安定してより迅速かつ正確に入力することができる。
【図面の簡単な説明】
【図１】  本発明の第１の実施形態に係る見開き状態を説明するための平面図である。
【図２】  同じく、閉じた状態で他方扉体の外面側から見た平面図である。
【図３】  同じく、ブロック図である。
【図４】  同じく、キーテーブルを説明するための図である。
【図５】  同じく、レイアウト変更動作等を説明するためのフローチャートである。
【図６】  同じく、表示メニューキーのコピー（移動）によるレイアウト変更を説明するための図である。
【図７】  本発明の第２の実施形態に係る見開き状態を説明するための平面図である。
【図８】  本発明の第３の実施形態に係る見開き状態を説明するための平面図である。
【図９】  本発明および従来例にかかるハンディターミナルを使用するオーダーデータ処理装置の１例を説明するための図である。
【図１０】  従来例（１）を説明するための図である。
【図１１】  従来例（２）を説明するための図である。
【符号の説明】
１０  ハンディターミナル
１１  一方扉体（本体）
１１Ｉ  内面
１１Ｏ  外面
１５  他方扉体（本体）
１５Ｉ  内面
１５Ｏ  外面
１７  覗き窓
２０  制御部
２１  ＣＰＵ（対応表示制御手段，入力取扱制御手段）
２２  ＲＯＭ（対応表示制御手段，入力取扱制御手段）
２３  ＲＡＭ
２３ＫＴ  キーテーブル
４０  タッチパネル付き表示器
４１Ｇ  表示面
４１Ｋ  表示メニューキー（メニューキー）
４３  スクロール表示部
５０  固定キー部
５１Ｋ  固定キー（Ｓキー…選択手段）
６０  固定メニューキー部
６１Ｋ  固定メニューキー（メニューキー）
【図１】
0003872593.tif 000002
【図２】
0003872593.tif 000003
【図３】
0003872593.tif 000004
【図４】
0003872593.tif 000005
【図５】
0003872593.tif 000006
【図６】
0003872593.tif 000007
【図７】
0003872593.tif 000008
【図８】
0003872593.tif 000009
【図９】
0003872593.tif 000010
【図１０】
0003872593.tif 000011
【図１１】
0003872593.tif 000012